(57)【要約】【課題】  道路沿いの目的地を検索するときに、カーソル移動と地図スクロールが道路沿いに行われ使い易い地図表示装置を提供する。【解決手段】  目的地検索時に、「施設名称検索」、「電話番号検索」、「詳細番地入力検索」サブモードの「特定地点指定」モードの場合は、地図表示したとき着目点を表示するカーソルが操作者の入力した方向に直線的に移動する直線移動モードとなる。さらに、「連続地標指定」モードを備えており、このモードで「交差点名称検索」、「道路名称検索」または「その他の連続地標名称検索」サブモードから道路またはその他の連続地標の名称を入力したときは、カーソルが道路上または指定されたその他の連続地標上に表示され、道路またはその他の連続地標に沿って操作者が入力した方向に近い方向に移動するフォローイング移動モードとなる。その結果、正確な地点を知らない場合でも、目標となる道路またはその他の連続地標沿いに地図上で目的地を検索できる。【選択図】    図２
2005099279.tif 000002
【特許請求の範囲】
【請求項１】
地図情報を記憶する記憶手段と、該記憶手段から地図情報を読み出す読み出し手段と、該読み出し手段により読み出された地図情報に基づく地図を表示するディスプレイと、該ディスプレイによって表示された地図画面上に着目点を示すカーソルの初期位置を設定するカーソル位置設定手段と、操作者が前記カーソルの移動方向を入力するための移動方向入力スイッチと、該移動方向入力スイッチに従って前記カーソルを移動させるカーソル移動手段とを備えた地図表示装置において、
前記カーソル位置設定手段が、前記カーソルの初期位置を設定するために、特定の地点を指定する特定地点指定モードと、連続地標の中から特定の連続地標を指定する連続地標指定モードとを備え、
前記カーソル移動手段は、
前記特定地点指定モードのときは、前記地図画面上の前記カーソルを、前記移動方向入力スイッチから入力された方向に直線的に移動し、
前記連続地標指定モードのときは、前記地図画面上のカーソルを、前記指定された連続地標に沿って、前記移動方向入力スイッチから入力された方向に近い方向に移動することを特徴とする地図表示装置。
【請求項２】
前記カーソル移動手段は、
前記特定地点指定モードのときは、前記地図を前記移動方向入力スイッチから入力された方向と反対の方向に直線的にスクロールし、
前記連続地標指定モードのときは、前記指定された連続地標に沿って、前記地図を前記移動方向入力スイッチから入力された方向と反対の方向に近い方向にスクロールすることを特徴とする請求項１に記載の地図表示装置。
【請求項３】
前記連続地標は道路を含み、
前記連続地標指定モードでは、道路名称または交差点名称を選択可能にリスト表示することを特徴とする請求項１または２に記載の地図表示装置。
【請求項４】
前記特定地点指定モードは、
施設名称または詳細な地点データのリストを表示して、その中から操作者が選択決定することにより特定地点を指定するサブモードと、
操作者が電話番号を入力することにより特定地点を指定するサブモードとを備えることを特徴とする請求項１から３のいずれか１に記載の地図表示装置。
【請求項５】
前記連続地標指定モードは、さらに前記移動方向入力スイッチによって移動された前記カーソル位置に基づき、特定の連続地標を指定可能とすることを特徴とする請求項１から４のいずれか１に記載の地図表示装置。
【請求項６】
前記連続地標は、道路以外に鉄道、河川、運河、海岸、湖岸の中の少なくとも一種類を含み、
前記連続地標指定モードは、その中から特定の連続地標を指定可能とすること特徴とする請求項１から５のいずれか１に記載の地図表示装置。
【発明の詳細な説明】
【技術分野】
【０００１】
本発明は、ディスプレイ画面上に地図を表示する地図表示装置に関する。
【背景技術】
【０００２】
従来、カーナビゲーション・システムにおいて人工衛星等からの電波を受信して位置を測定し、ディスプレイに表示する地図表示装置がある。この地図表示装置により見知らぬ土地でも確実に目的地まで行くことが可能になった。
この地図表示装置は、人工衛星等からの電波を受信し現在位置を算出するＧＰＳ装置、地図データが記憶された記憶媒体（ＣＤ−ＲＯＭ、ＤＶＤ−ＲＯＭやＩＣカード、ハードディスク等）から地図／道路情報を読み込むための読み出し装置、液晶表示装置等のディスプレイ、操作部、地図表示の制御や操作者の入力に応じて経路検索などを行うＣＰＵとから構成されている。
ディスプレイ画面上には地図が表示され、その表示領域が現在位置の移動に伴って自動的に変化する。
【０００３】
現在位置から目的地までの経路を設定する場合には、ディスプレイに表示された地図上で例えばカーソルを目的地の位置に合わせ設定する。そのとき、地図上に表示されたカーソルを移動したり、地図をスクロールしたりして表示領域を変更する必要がある。
表示された地図上でカーソルを移動したり、さらにカーソル位置を地図表示領域内に納まるように地図の表示領域を移動するために地図スクロールをしたりする入力手段としては、ジョイスティックなどが用いられる。
これまでの公知技術では、ディスプレイ画面上に表示された道路の道筋に関係なくジョイスティックを倒した方向にのみ直線的にカーソルを移動したり、ジョイスティックを倒した方向と反対方向に直線的に地図をスクロールしたりするものであった。そのため、道路沿いの施設を地図上で捜したい場合など、道路の道筋に沿って頻繁にカーソル移動方向または地図をスクロールする方向を変える必要があり、操作者にとって操作が煩わしかった。
【０００４】
また、（１）すでに現在位置から目的地までの経路が設定されている場合は、その経路の沿道前方向スクロールキー、沿道後方向スクロールキーを押すことによって、その経路に沿って地図をスクロールする機能、（２）道路上の現在位置点が設定されると、その道路の属性が国道または高速道路かどうかを判定して、いずれかであれば沿道前方向スクロールキー、沿道後方向スクロールキーを押すことによって、国道沿いまたは高速道路沿いに地図をスクロールする機能も提案されている（特許文献１参照）。
【特許文献１】特開平８−１２２０８４号公報
【発明の開示】
【発明が解決しようとする課題】
【０００５】
しかし、目的の地点の面しているまたは近くの目標になる任意の道路、鉄道、河川、運河、海岸、湖岸などの連続地標の名称が分かっている場合に、その連続地標沿いに着目点を示すカーソルを移動したり、地図をスクロールしたりして目的地を検索することはできなかった。
本発明は、上記の問題点を解決するために、カーナビゲーション・システムでの経路設定や、パーソナル・コンピュータ（以下パソコンと略称する）などで目的地を検索し目的地点近傍の地図を表示して地図を印刷、または目的地周辺の情報を検索する上で、より簡便に地図スクロールを行い、目的地を検索しやすい地図表示装置を提供することを目的とする。
【課題を解決するための手段】
【０００６】
このため、本発明は、地図情報を記憶する記憶手段と、記憶手段から地図情報を読み出す読み出し手段と、読み出し手段により読み出された地図情報に基づく地図を表示するディスプレイと、ディスプレイによって表示された地図画面上に着目点を示すカーソルの初期位置を設定するカーソル位置設定手段と、操作者が前記カーソルの移動方向を入力するための移動方向入力スイッチと、移動方向入力スイッチに従ってカーソルを移動させるカーソル移動手段とを備えた地図表示装置において、カーソル位置設定手段が、カーソルの初期位置を設定するために、特定の地点を指定する特定地点指定モードと、連続地標の中から特定の連続地標を指定する連続地標指定モードとを備え、カーソル移動手段は、特定地点指定モードのときは、地図画面上のカーソルを、移動方向入力スイッチから入力された方向に直線的に移動し、連続地標指定モードのときは、地図画面上のカーソルを、指定された連続地標に沿って、移動方向入力スイッチから入力された方向に近い方向に移動するものとした。
【発明の効果】
【０００７】
本発明により、特定地点指定モードまたは特定連続地標指定モードの選択をおこなうことにより、（１）操作者の入力した任意の方向に、表示された地図画面上の着目点を示すカーソルを直線的に移動したり、操作者の入力した任意の見たい方向に直線的に地図をスクロールさせたりすることができ、また、（２）指定された連続地標に沿って操作者の入力した方向に近い方向に、カーソルを移動したり、操作者の見たい方向に地図をスクロールさせたりすることが、自由にできる。
この結果、目的地が正確に分かっていないが、例えば目標となる道路が分かっていて、その道路沿いまたは道路近くの目的の地点を直接地図上で検索する場合に、目標となる道路沿いに地図を表示させるために、地図の直線的なスクロールを何度も繰り返して操作する煩雑さが無くなる。
【発明を実施するための最良の形態】
【０００８】
以下、図面を参照して本発明の実施の形態について説明する。図１は本実施の形態に係るカーナビゲーション・システムの構成を示すブロック図である。
本カーナビゲーション・システムは、ＣＰＵ４にハードディスク部１、入力部２、ＧＰＳ部５、ＲＡＭ６、ＲＯＭ７、グラフィック・コントローラ８が接続し、さらにグラフィック・コントローラ８にビデオＲＡＭ（図１にはＶＲＡＭと表示、以下ＶＲＡＭと称する）９とディスプレイ１０が接続して構成されている。
【０００９】
ハードディスク部１は、
（１）地図の画像情報（以下地図情報と称する）
（２）道路名称、交差点名称などの道路データ
（３）道路以外の鉄道、河川、運河、海岸、湖岸等の連続した地上の目標の名称データ
（以下、道路を含めた上記の連続した地上の目標を「連続地標」と称し、道路以外の上記の連続した地上の目標を「その他の連続地標」と称する。）
（４）地点の詳細所在地データ（都道府県名、郡市町村名、番地名など）
（５）地図情報と地点データ（その地点の経度／緯度情報）を関係付けたデータ
（６）電話番号と地点データを関係付けるデータ
（７）施設名称と地点データを関係付けるデータ
（８）道路データを地図情報と関係付けるデータ
（９）その他の連続地標の名称データを地図情報と関係付けるデータ
（１０）地点の詳細所在地データを地図情報と関係付けるデータ
を読み出し可能に記憶している。
【００１０】
入力部２は、例えばジョイスティックＫ１、決定キーＫ２及び取り消しキーＫ３等の各種操作スイッチを有して構成され、これらのスイッチの操作に応じたスイッチ信号をＣＰＵ４に出力する。
ジョイスティックＫ１は、メニュー画面から項目を選択するためカーソルを移動する場合に使用する。また地図上の着目点を示すカーソルを上下、左右、斜めの各方向に移動する場合、およびジョイスティックＫ１の倒した方向の地図を見たいときにそれを表示するようにジョイスティックＫ１の倒された方向と反対方向に上下、左右、斜めの各方向に地図をスクロールする（以下、見たい方向の地図を表示するようにスクロールすることを「地図スクロールする」と称する）場合に使用する。
決定キーＫ２は、メニュー画面でカーソルを移動して指定された項目を選択決定するときに、またはカーナビゲーション・システムの地図表示操作を次のステップに進ませるときに使用するスイッチである。ここでは、決定キーＫ２は「１度押し」と「連続２度押し」を使い分けて次のステップに進ませることが可能としている。
取り消しキーＫ３は決定キーＫ２によって操作した作業を取り消し、一つ前の状態に戻るときに使用するスイッチである。
【００１１】
ＧＰＳ部５は、アンテナを介して取り込んだ図示せぬ人工衛星からの信号に基づいて現在位置の緯度／経度を割り出し、その結果を出力する。このＧＰＳ部５からの緯度／経度情報はＣＰＵ４に取り込まれる。
ＲＡＭ６は、ワークメモリとして使用される。ＲＯＭ７には、ナビゲーション・システムとしての各種メニュー画面、地図表示用などの各種機能のプログラムが記憶されている。
【００１２】
グラフィック・コントローラ８は、ＣＰＵ４の命令によりハードディスク部１から読み出された地図情報をＶＲＡＭ９に一時記憶し、ＶＲＡＭ９から地図情報を読み出し、これを映像信号に変換してディスプレイ１０に出力する。
ディスプレイ１０は、グラフィック・コントローラ８からの映像信号に基づく表示を行う。
【００１３】
ＣＰＵ４の主な制御内容をさらに詳細に説明する。
（ａ）メニュー選択により、操作者がＧＰＳ部５からの現在位置の緯度／経度情報を入力するか、または、入力部２から地図上の任意の地点／地域の名称、または道路／交差点の名称、またはその他の連続地標の名称を入力した後、ハードディスク部１にアクセスし、現在位置または指定された地点（または指定された、地域／道路／その他の連続地標）周辺の地図情報とその周辺地図に関係する詳細所在地データと、道路データ、その他の連続地標名称データ等（上記、（２）〜（１０）のデータ）を読み込む。
（ｂ）ＲＯＭ７から地図表示用のプログラムを読み込み、ＲＡＭ６をワークメモリとして使用しながらグラフィック・コントローラ８を介してＶＲＡＭ９上に地図のグラフィックスを展開する。また、現在位置または指定された地点／地域／道路／その他の連続地標周辺の地図情報とその周辺地図に関係する上記（２）〜（１０）のデータをＲＡＭ６に一時的に記憶する。
【００１４】
（ｃ）ジョイスティックＫ１が操作されたことを検出すると、カーソル移動または地図スクロールさせるための命令をグラフィック・コントローラ８に出力する。
このとき、ジョイスティックＫ１の倒された方向に、直線的にカーソル移動（以下、「直線カーソル移動」と称する）および直線的に地図スクロール（以下、「直線スクロール」と称する）する「直線移動モード」か、指定された連続指標に沿ってカーソル移動（以下、「フォローイング・カーソル移動」と称する）および地図スクロール（以下、「フォローイング・スクロール」と称する）する「フォローイング移動モード」かは、メニューから操作者が目的地検索のため選んだ検索モードをＣＰＵ４が判定して制御する。
カーソルが表示画面の縁から所定の距離内の領域（以下「スクロール領域」と称する）に入っている状態で、ジョイスティックＫ１が操作されると、ジョイスティックＫ１の倒されている方向に基づいて、検索モードに対応した地図スクロールを行う。
（ｄ）ディスプレイ１０の表示画面上のカーソル位置に対応する詳細所在地データ、道路、交差点またはその他の連続地標の名称、その地点に接続する道路またはその他の連続地標の名称を、ＲＡＭ６から読み出し、グラフィック・コントローラ８を介して表示画面に挿入されたウインドに表示させる。
【００１５】
次に、グラフィック・コントローラ８の主な働きをより詳細に説明する。
（ａ）ＣＰＵ４からの命令にしたがって現在表示されている地図上の着目位置に、例えば丸に十の字の形のカーソルを画像化してディスプレイ１０へ出力する。
（ｂ）ＣＰＵ４から地図をフォローイング・カーソル移動する命令を受け取ると、指定された連続地標上のカーソルを、連続地標に沿ってジョイスティックＫ１の倒された方向に近い方向に移動させて表示する。
（ｃ）ＣＰＵ４から地図をフォローイング・スクロールする命令を受け取ると、指定された連続地標上の現在のカーソル位置を画面中央に位置させた地図表示領域を計算により求め、予めＶＲＡＭ９上に展開している地図情報から対応する地図情報を読み込み、それを映像信号に変換してディスプレイ１０に出力する。
フォローイング・スクロール後、カーソルは画面中央に位置して表示される。この処理はＣＰＵ４からフォローイング・スクロールの命令を受ける毎に実行される。
【００１６】
（ｄ）ＣＰＵ４から地図を直線カーソル移動する命令を受け取ると、カーソルを、ジョイスティックＫ１の倒された方向に直線的に移動させ表示する。
（ｅ）ＣＰＵ４から直線スクロールをする命令を受け取ると、地図上の現在の地図表示領域から、ジョイスティックＫ１の倒された方向と反対方向に直線的に所定距離だけ地図をスクロールするため、対応する領域の地図をＶＲＡＭ９から読み込み、それを映像信号に変換してディスプレイ１０に出力する。
直線スクロール後、カーソルは地図スクロール前の地図上の位置から地図スクロールの距離より短い所定距離だけジョイスティックＫ１の倒された方向に直線移動した位置に表示される。この処理はＣＰＵ４から直線スクロールの命令を受ける毎に実行される。
【００１７】
次に、目的地検索メニューに従って地図表示させて、操作者が目的地を地図上で見つけまたは確認して、目的地を設定登録する流れを説明する。
図２は、目的地検索メニューの例を説明する図である。
目的地検索メニューでは、施設名称を指定して目的値を検索する「施設名称検索」、電話番号を入力して目的地を検索する「電話番号検索」、詳細番地を入力して目的地を検索する「詳細番地入力検索」の３つのサブモードからなる「特定地点指定モード」と、交差点の名称を指定して道路沿いに目的地を検索する「交差点名称検索」、道路の名称を指定して道路沿いに目的地を検索する「道路名称検索」、鉄道、河川、運河、海岸、湖岸などのその他の連続地標の名称を指定してその連続地標沿いに目的地を検索する「その他の連続地標名称検索」の３つのサブモードからなる「連続地標指定モード」とがある。
【００１８】
操作者が特定地点指定モードを選択した場合は、地図表示後に操作者がジョイスティックＫ１を操作すると、その操作に合わせてカーソルが直線移動し、地図が直線スクロールする「直線移動モード」となる。
操作者が連続地標指定モードを選択した場合は、地図表示後に操作者がジョイスティックＫ１を操作すると、その操作に合わせてカーソルが道路沿いまたはその他の連続地標沿いに移動し、地図が道路沿いまたはその他の連続地標沿いにスクロールする、「フォローイング移動モード」となる。
【００１９】
次に、各検索サブモードによる目的地の検索と設定登録の流れを説明する。この流れは基本的に操作者のジョイスティックＫ１、決定キーＫ２による入力部２からの操作に対応したＣＰＵ４のプログラムによる制御である。
図３〜図１３に目的地検索の制御の流れ図を示す。
まず、操作者がどの目的地検索モードを選択したかを判定する。
ステップ１０１では、操作者が入力部２を操作して目的地検索メニューを指定したのをＣＰＵ４が確認し、ディスプレイ１０に目的地検索メニュー画面を開く。
ステップ１０２では、「施設名称検索」サブモードが選択されたかどうかを判定し、選択された場合は、ステップ２０１に進み、そうで無い場合はステップ１０３に進む。
ステップ１０３では、「電話番号検索」サブモードが選択されたかどうかを判定し、選択された場合は、ステップ２０３に進み、そうで無い場合はステップ１０４に進む。
ステップ１０４では、「詳細番地入力検索」サブモードが選択されたかどうかを判定し、選択された場合は、ステップ２０４に進み、そうで無い場合はステップ１０５に進む。
ステップ１０５では、「連続地標指定」モードが選択されたかどうかを判定し、選択された場合は、ステップ３０１に進み、そうで無い場合はステップ１０２に戻る。
【００２０】
ステップ１０２で、「施設名称検索」サブモードを選択したと判定された場合は、ステップ２０１でまず地域選択のメニュー画面が表示される。操作者がジョイスティックＫ１を操作して、表示された地域のメニューリストの中から目的の施設が含まれる地域を指定し、その状態で決定キーＫ２を押すことによって地域を選択決定する。
ＣＰＵ４は選択された当該地域の前述の（１）の地図情報と、（２）〜（１０）のデータをハードディスク部１から読み出してそれぞれＶＲＡＭ９とＲＡＭ６に一時記憶し、施設名称を検索する。
ステップ２０２では、まず、選択された地域の施設名称のリストを表示したメニュー画面が表示される。操作者がジョイスティックＫ１で、目的の施設名称を指定し、その状態で決定キーＫ２を押すことによって、その施設を選択決定する。ＣＰＵ４はその施設の名称と地点データを関係付けるデータから地点データを読み出し、地図表示する領域を設定する。その後ステップ２０５に進む。
なお、ステップ２０１、２０２のメニューによる選択決定は階層化されており、操作者が表示画面から何段階かのメニュー選択決定を経てより狭い地域および施設の種類に絞込み、その後に目的の施設名称を含むメニュー画面が表示されて選択決定し、特定地点の設定完了となる。
【００２１】
ステップ１０３で、「電話番号検索」サブモードを選択したと判定された場合は、ステップ２０３で、まず、例えばテンキーとハイフン（−）の選択メニューウインドと、入力された数字を表示するウインドが表示される。操作者がジョイスティックＫ１と決定キーＫ２を操作して、選択ウインドに表示された数字を選んで、電話番号を市外局番から入力する。ＣＰＵ４は入力された電話番号に基づいて、電話番号と地点データを関係付けるデータ検索し、地図表示する領域を設定する。その後ステップ２０５に進む。
【００２２】
ステップ１０４で、「詳細番地入力検索」サブモードを選択したと判定された場合は、ステップ２０４で、まず詳細番地入力用のメニュー画面が表示される。操作者がジョイスティックＫ１と決定キーＫ２を操作して対話形式で、例えば都道府県レベルで選択決定したら、次は郡、市レベル、次はその下のレベルの選択決定と、広い地域レベルから狭い地域レベルへと選択決定を進め、最後はテンキーとハイフン（−）の選択小画面で番地、号レベルまで選択決定して入力する。ＣＰＵ４は地点の詳細所在地データと地図情報とを関係付けるデータから当該地図領域を検索し、表示領域を設定する。その後ステップ２０５に進む。
【００２３】
ステップ２０５では、ＣＰＵ４はグラフィック・コントローラ８に、指定された地点にカーソルを合わせて、その位置を表示画面の中央位置になるように地図を表示させる。このとき、カーソル移動および地図スクロールは直線移動モードとなっている。
ステップ２０６では、操作者がカーソルを目的地に合わせ決定キーＫ２を例えば連続２度押しして目的地を決定する。ＣＰＵ４は地図上のその地点を目的地として登録し、ウインドに「目的地登録完了」と表示させる。
【００２４】
なお、操作者が目的地にカーソルを合わせるときには、ジョイスティックＫ１が倒された方向にカーソルが直線的に移動し、カーソルがスクロール領域に入ったところで、地図をジョイスティックＫ１が倒されている方向に対応して反対方向に所定量直線スクロールし地図表示する。カーソルは地図スクロールされる前の位置から所定量ジョイスティックＫ１が倒された方向に移動した位置に表示されて、再び操作者のジョイスティックＫ１の操作に合わせてカーソルが直線移動を開始する。
このようにして操作者はジョイスティックＫ１を操作して、目的地にカーソルを合わせることができる。
【００２５】
次に、ステップ１０５において、連続地標指定モードを選択した場合について説明する。
まずステップ３０１では、ステップ２０１と同じように地域選択のメニュー画面が表示される。操作者がジョイスティックＫ１を操作して、表示された地域のメニューリストの中から連続地標を目標に検索を行う地域を指定し、その状態で決定キーＫ２を押すことによって地域を選択する。それを受けてＣＰＵ４は連続地標名称の検索をする地域を設定する。
ステップ３０２では、まず連続地標を地図上でカーソルを合わせて選択するか、連続地標の名称を指定入力するサブモード「交差点名称検索」、「道路名称検索」、「その他の連続地標名称検索」で選択するかを選ぶメニュー画面を表示する。操作者がいずれかを選択決定すると、ＣＰＵ４はどのサブモードが選択されたかをチェックする。地図上でカーソルを合わせて連続地標を選択する場合はステップ６０１へ進む。連続地標の名称を指定入力する場合は、ステップ３０３へ進む。
【００２６】
ステップ３０３では、「交差点名称検索」サブモードが選ばれたかどうかをチェックする。本サブモードが選ばれた場合は、ステップ４０１に進む。
「交差点名称検索」サブモードが選ばれなかった場合はステップ３０４に進み、「道路名称検索」サブモードが選ばれたかどうかをチェックする。「道路名称検索」サブモードが選ばれた場合はステップ４２１に進む。
「道路名称検索」サブモードが選ばれなかった場合はステップ３０５に進み、「その他の連続地標の名称検索」サブモードが選ばれたかどうかをチェックする。このサブモードが選ばれた場合はステップ５０１に進み、そうで無い場合は最初のステップ１０１に戻る。
【００２７】
ステップ３０３で、「交差点名称検索」サブモードが選択されたことを検出した場合、ステップ４０１で、まず、交差点名称が例えばアイウエオ順にメニュー画面に表示される。操作者がジョイスティックＫ１と決定キーＫ２とで交差点名称を選択決定すると、道路データと地図情報を関係付けるデータからその交差点を含む地図表示領域を設定する。
ステップ４０２では、ＣＰＵ４は選択された交差点を表示画面の中央に位置させて、地図表示させる。カーソルは当該交差点上に位置して表示される。ステップ４０２の後、ステップ４０３に進む。
ステップ４０３では、交差点または道路名称境界に接続する道路の名称を読み込む。ここで道路名称境界とは、連続した一本道の場合でも途中で道路の名称が変わる場合、その境界を道路名称境界と称する。
【００２８】
ステップ４０４では、ステップ４０３で読み込んだ接続する道路名称と方向を地図表示画面の隅部に表示したウインドに文字情報で表示する。
ステップ４０５では、すでにそれに沿って検索する道路が選択されている場合に、フォローイング・カーソル移動する道路をこの交差点（または道路名称境界）位置に接続している別の道路に変更するかどうかを、操作者が決定キーＫ２を１度押したかどうかで判定する。ウインドには操作マニュアルとして、「１）決定キーＫ２を押した後、ジョイスティックＫ１で新しい道路を指定、２）ジョイスティックＫ１を操作して現在指定されている道路をフォローイング」が表示される。
ここでは、交差点を指定しただけでまだ道路指定をしていないので、操作者は１）の指示に従う。
【００２９】
ステップ４０６では、ジョイスティックＫ１が倒された方向から、ジョイスティックＫ１が倒された方向に近い方向の、その交差点から伸びる道路を選択したと判定する。つまり、交差点名称を選択決定しただけでは、交差点に接続している複数の道路のいずれに沿って道路検索をしようとしているのか不明である。そこで、決定キーＫ２を押された後ジョイスティックＫ１が倒された方向で選択された道路を決定する。このとき、ジョイスティックＫ１が正確に地図上の道路の接続方向に倒されなくても、倒された方向に近い接続方向の道路が選択されたと判定する。
なお、一本道の場合でも途中で道路の名称が変わる道路名称境界の場合も、やはりそこで道路の選択をする。ステップ４０６の後、ステップ４０７に進む。
【００３０】
ステップ４０７では、ジョイスティックＫ１の倒された方向から、その方向に近い道路沿い方向をカーソル移動および地図スクロールして地図検索する方向と判定する。ステップ４０７の後、ステップ４０８に進む。
ステップ４０８では、カーソルを指定された道路に沿ってステップ４０７で判定した方向に移動させる。
ステップ４０９では、カーソルの位置に対応する詳細地名をＲＡＭ６から読み出し、前述のステップ４０６で判定した道路名称と共にウインドに文字表示する。
【００３１】
ステップ４１０では、ジョイスティックＫ１が継続して倒されているかどうかをチェックする。ジョイスティックＫ１の操作が続いている場合はステップ４１１に進み、操作されていない場合はステップ４１４に進む。
ステップ４１１では、現在カーソルの位置している道路位置において、ステップ４０５、４０６で選択された道路の名称と同一の道路が継続しているかどうかチェックする。同一の道路が継続している場合はステップ４１２に進み、そうで無い場合にはステップ４１４に進む。
ステップ４１２では、カーソルがスクロール領域に入ったどうかチェックする。カーソルの位置がスクロール領域に入った場合はステップ４１３に進み、そうで無い場合は、ステップ４０８に戻る。
【００３２】
ステップ４１３では、現在のカーソル位置を画面の中央に位置するように、地図表示領域を移動する、つまり地図スクロールをする、その後ステップ４０８に戻る。
ここで、現在の道路の方向とジョイスティックＫ１の倒された方向が同じで無くとも、ステップ４０７で判定した方向の道路沿いにカーソル移動する。
ステップ４１０、またはステップ４１１の後ステップ４１４に進んだ場合は、カーソル移動または地図スクロールを停止する。カーソル移動中の停止時は、ジョイスティックＫ１の操作を停止したときのカーソル位置を示して地図表示される。地図スクロール中にジョイスティックＫ１の操作を停止したときは、地図スクロールを終了させ、地図はカーソルを表示画面の中央に位置して表示される。
ステップ４１５では、操作者が決定キーＫ２を連続２度押ししたかどうかチェックする。操作者が決定キーＫ２を連続２度押しした場合は、ステップ４１７に進み、フォローイング移動モードから直線移動モードに切り替わる。ウインドには「直線移動モード」と「目的地設定可能」と表示される。
【００３３】
ステップ４１８では、操作者がジョイスティックＫ１を操作してカーソルを目的地に合わせた後、決定キーＫ２を連続２度押しして目的地を決定する。ＣＰＵ４は地図上のその地点を目的地として登録し、ウインドに「目的地登録完了」と表示させる。
なお、操作者がカーソルを「直線移動モード」で移動するのはステップ２０６の場合と同じ要領である。このステップで決定キーＫ２が押されないか、１度しか押されない場合は「目的地設定可能」の状態が続く。
ステップ４１５で決定キーＫ２が連続２度押しされない場合は、ステップ４１６に進む。ステップ４１６では、交差点または道路名称境界の場合ステップ４０３に戻り、交差点または道路名称境界以外の場合はステップ４０７に戻る。
なお、ステップ４１５で、カーソルが交差点または道路名称境界以外の位置での決定キーＫ２の一度押しの操作は無視されステップ４１６に進みさらにステップ４０７に戻る。ステップ４１５で、カーソルが交差点または道路名称境界のときに決定キーＫ２が１度しか押されない場合は、ステップ４１６に進み、さらにステップ４０３に戻り、ステップ４０５における、接続している現在選択されている道路とは別の道路への変更と判定される。
【００３４】
このように、「交差点名称検索」サブモードを選択すると、交差点からジョイスティックＫ１を倒した方向の道路が選択され、道路に沿ってジョイスティックＫ１の倒された方向に近い方向にカーソル移動を行う。ジョイスティックＫ１を操作し続ける限り、最初に判定された方向の道路沿いにカーソルのフォローイング移動が続き、道路の曲がり方向とジョイスティックの倒された方向とは関係なく、カーソルのフォローイング移動が続けられる。
しかし、一度ジョイスティックＫ１を中立に戻して、再度操作を開始すると、道路沿いに検索する方向をステップ４０７で判定し直して、道路に沿ってジョイスティックＫ１の操作された方向に近い方向にカーソルをフォローイング移動する。
【００３５】
ステップ４１１で、道路名称境界、つまり選択された名称の道路がそこで途切れ、別の名称の道路になることを検出した場合、そこでカーソルは一旦移動を停止し、道路の境界に接続する道路の名称と接続方向を全てウインドに表示する。つまりこの状態で、交差点名称入力直後の状態に戻る。操作者が決定キーＫ２を１度押した後、接続している新しい名称の道路の方向に近い方向にジョイスティックＫ１を倒すと、新しい名称の道路を選んだと判定し、新しい名称の道路沿いにカーソルをフォローイング移動する。
これに対し、単に元の名称の道路の方向に近い方向にジョイスティックＫ１を倒したときは、元の道路を選択したと判定し、元の道路に沿ってカーソルを引き返し始め、また必要に応じ地図をスクロールする。つまり、決定キーＫ２を押さない限り、道路の切り替えはしない。
【００３６】
次に「道路名称検索」サブモードについて説明する。操作者は、例えば「靖国通りと昭和通りの交差点近くにあるビル」を検索したいとする。
ステップ３０４において、「道路名称検索」サブモードが選択されたことを検出した場合は、ステップ４２１に進み、まず道路名称選択メニューが表示される。操作者が道路名称を選択すると、道路データと地図情報を関係付けるデータからその道路の存在する地図領域を検索する。
なお、操作者は具体的には以下のような操作をする。ステップ４２１で、前のステップ３０１の段階で設定した都道府県などの地域の中に含まれる道路名称リストを、アイウエオ順に表示したメニューから道路名称をジョイスティックＫ１で指定した後、決定キーＫ２を押して選択決定するか、さらに狭い地域領域を選択した後、その地域領域段階での道路の名称リストから選択する。
ここでは例えば「東京都２３区」の地域領域が設定され、ステップ４２１で道路名称リストを表示させ、「靖国通り（中央区）」が選択されたとする。
【００３７】
ステップ４２２では、地図表示開始条件の設定を行う。ステップ４２１で道路名称が選択決定されてその道路の含まれる地図領域が検索されると、まず地図表示開始条件のメニュー項目として例えば、「当該道路の始点」、「当該道路の表示選択地域との境界」、「表示選択地域での当該道路の中間点」などが表示される。操作者がジョイスティックＫ１でカーソルを合わせて、決定キーＫ２で例えば「当該道路の始点」を選択決定する。ＣＰＵ４はグラフィック・コントローラ８に、表示回始点を画面中心にした表示領域を計算させる。
ステップ４２３では、表示開始条件にしたがった地図を表示する。このときカーソルは選択された道路の表示開始条件の位置に合わせられ、表示画面中央に位置するように表示する。また、カーソルの位置に対応する詳細地名、道路名がウインドに文字情報として表示される。
ここでは、図１４に示すように中央区の靖国通り始点の「浅草橋南交差点」にカーソルが合わせられる。そしてカーソルが表示画面の中央に位置した地図表示がなされる。
【００３８】
ステップ４２４では、表示開始条件のカーソル位置が交差点または道路名称境界かどうかをチェックする。交差点または道路境界でない場合はステップ４０７に進み、交差点または道路境界の場合はステップ４０３に進む。以後操作者がジョイスティックＫ１と決定キーＫ２を操作して、「交差点名称入力検索」サブモードと同じように道路沿いにカーソルをフォローイング移動させて検索する。
ＣＰＵ４はフォローイング移動モードであることを認識し、選択された道路名称をウインドに表示する。
この後、例えば操作者がジョイスティックを左寄りの方向に倒すと、靖国通り沿いに西側方向にカーソルを移動させ、カーソルがスクロール領域に入ったところで、カーソルを画面の中央に表示するように地図を東方向にスクロールさせる。
カーソルが位置している地点の、町名、番地などの詳細地点データがウインドに表示される。また、交差点ごとに交差点名称、交差している道路の名称がウインドに表示される。
【００３９】
カーソルを移動させて、靖国通りと昭和通りが交差する交差点で、交差点名称「岩本町交差点」と、交差点で接続する道路名称とその方向が「靖国通り−東西、昭和通り−南北」とウインドに表示される。自分の捜していた目的地の検索目標である交差点が見つかったので、カーソルを「岩本町交差点」に当てて、ジョイスティックＫ１の操作を停止し、決定キーＫ２を連続２度押しする。この後直線移動モードに切り替わり、交差点近くの目的のビルを捜し、その前の道路にカーソルを当て、再度決定キーＫ２を連続２度押しして、目的地を設定登録する。
【００４０】
次に、ステップ３０５で「その他の連続地標の名称検索」サブモードを選択した場合の流れを説明する。
ここでは、道路そのものが検索の目標ではなく、鉄道、河川、運河、海岸、湖岸などのその他の連続地標が目印で、実際の道路名称を知らないが、鉄道路線や河川などの名称は知っていて、目的地がそれに沿った近くである場合にこのサブモードを使用する。この例の説明として、鉄道の場合を例に説明する。
まず、ステップ３０５において、「その他の連続地標の名称検索」サブモードが選択されたことを検出した場合は、ステップ５０１で、まず、目印の連続地標の種類を選択するメニューが表示される。操作者がジョイスティックＫ１と決定キーＫ２を操作して連続地標の種類の中から鉄道路線を選択決定する。ＣＰＵ４はそれを受けてその他の連続地標の名称データからステップ３０１で設定された地域の中に含まれる鉄道路線名称を検索する。
【００４１】
ステップ５０２では、まず、前のステップで検索された鉄道路線の名称リストを表示する。操作者がその中から例えば、京浜東北線を選択決定する。ＣＰＵ４はそれを受けてその他の連続地標の名称データを地図情報と関係付けるデータから京浜東北線の存在する地図領域を検索する。
ステップ５０３では、地図表示開始条件の設定を行う。地図表示開始条件のメニュー項目として、例えば「当該連続地標の始点」、「当該連続地標の接続点」、「当該連続地標の表示選択地域との境界」、「表示選択地域での当該連続地標の中間点」などが表示される。
ここで、「連続地標の接続点」とは、鉄道の場合の路線間の接続駅、河川の場合の合流点、運河の場合の交差点を言う。
操作者はジョイスティックＫ１でカーソルを合わせて、決定キーＫ２でここでは「当該連続地標の表示選択地域との境界」を選択決定する。ＣＰＵ４はグラフィック・コントローラ８に表示開始点を画面中心にした表示領域を計算させる。ここでは、図１４に示すように千代田区境界での京浜東北線の北の端を選んだとする。
【００４２】
ステップ５０４では、表示開始条件にしたがって地図を表示する。このときカーソルは京浜東北線の当該条件の位置に合わせられ、表示画面中央に位置するように表示する。また、カーソルの位置に対応する詳細地名、その他の連続地標の名称「鉄道路線：京浜東北線」がウインドに文字情報として表示される。
この場合、図１４に示すように秋葉原駅の少し北の京浜東北線上にカーソルが合わせられる。そしてカーソルが表示画面の中央に位置した地図表示がなされる。
【００４３】
ステップ５０５では、表示開始条件のカーソル位置が鉄道路線（連続地標）の接続点または名称境界かどうかチェックする。鉄道路線の接続点または名称境界でない場合はステップ５１０に進み、鉄道路線の接続点または名称境界の場合はステップ５０６に進む。
ステップ５０６では、鉄道路線（連続地標）の接続点または名称境界に接続する他の鉄道路線の名称（同一種の連続地標の名称）を読み込む。
ステップ５０７では、ステップ５０６で読み込んだ接続する他の鉄道路線（連続地標）の名称と方向をウインドに文字情報で表示する。
【００４４】
ステップ５０８では、すでにそれに沿って検索する鉄道路線、京浜東北線（連続地標）が選択されている場合に、フォローイング・カーソル移動する鉄道路線をこの接続点（または鉄道路線の名称境界）位置に接続している別の鉄道路線（別の連続地標）に変更するかどうかを、操作者が決定キーＫ２を１度押したかどうかで判定する。ウインドには操作マニュアルとして、「１）決定キーＫ２を押した後、ジョイスティックＫ１で新しい鉄道路線を指定、２）ジョイスティックＫ１を操作して現在指定されている鉄道路線をフォローイング」が表示される。
ここで操作者が決定キーＫ２を押してその後に、ジョイスティックＫ１を鉄道路線沿いに検索したい方向に倒すとステップ５０９に進み、単にジョイスティックＫ１を倒すとステップ５１０に進む。
【００４５】
ステップ５０９では、ジョイスティックＫ１が倒された方向から、鉄道の接続点または鉄道の名称境界（連続地標の接続点または連続地標の名称境界）から伸びるジョイスティックＫ１が倒された方向に近い方向の別の名称の鉄道路線（連続地標）が選択されたと判定する。
一本の鉄道の場合でも、途中で鉄道路線の名称が変わる鉄道名称境界の場合、やはりそこで鉄道路線の選択をする。
これは、鉄道沿線の検索をしていて、他の路線との接続駅で路線の変更をする場合のステップである。
ステップ５０９の後、ステップ５１０に進む。
【００４６】
ステップ５１０では、ジョイスティックＫ１の倒された方向から、その方向に近い鉄道路線（連続地標）沿いの方向を、カーソル移動および地図スクロールして地図検索する方向と判定する。ステップ５１０の後ステップ５１１に進む。
ステップ５１１では、カーソルを京浜東北線（連続地標）に沿ってステップ５１０で判定した方向に移動させる。ここでは秋葉原から神田方向に移動させたとする。
ステップ５１２では、カーソルの位置に対応する詳細地名をＲＡＭ６から読み出し、現在選択されている鉄道路線（連続地標）の名称と共にウインドに文字表示する。
ステップ５１３では、ジョイスティックＫ１が継続して倒されているかどうかをチェックする。ジョイスティックＫ１の操作が続いている場合はステップ５１４に進み、操作されていない場合はステップ５１７に進む。
【００４７】
ステップ５１４では、現在カーソルの位置している鉄道路線（連続地標）位置において、ステップ５０８、５０９で選択された鉄道路線と同一の路線（選択された連続地標の名称と同一の連続地標）が継続しているかどうかチェックする。同一の鉄道路線が継続している場合はステップ５１５に進み、そうで無い場合にはステップ５１７に進む。
ステップ５１５では、カーソルがスクロール領域に入ったどうかチェックする。カーソルの位置がスクロール領域に入った場合はステップ５１６に進み、そうで無い場合は、ステップ５１１に戻る。
ステップ５１６では、カーソルを画面の中央に位置するように、地図表示領域を移動させる地図スクロールの後、ステップ５１１に戻る。
ここで、現在の鉄道路線の方向とジョイスティックＫ１の倒された方向が同じで無くとも、ステップ５１０で判定した鉄道路線の方向にカーソル移動をする。
【００４８】
ステップ５１３、またはステップ５１４の後、ステップ５１７に進んだ場合は、カーソル移動または地図スクロールを停止する。停止したときの地図表示状態はステップ４１４と同じであり、道路の代わりにその他の連続地標、ここでは鉄道路線に代わっただけである。
ステップ５１８では、操作者が決定キーＫ２の連続２度押しをしたかどうかチェックする。操作者が決定キーＫ２を連続２度押しした場合は、ステップ５２０に進み、フォローイング移動モードから直線移動モードに切り替わり、ウインドに「直線移動モード」、「目的地設定可能」と表示される。
ステップ５２１で、操作者がカーソルの表示位置を目的地に設定して、再度決定キーＫ２の連続２度押しをすると、目的地が設定され、ウインドに「目的地登録完了」を表示し、終了する。
【００４９】
ステップ５１８で決定キーＫ２の連続２度押しがされていない場合は、ステップ５１９に進み、カーソルの停止位置が選択された鉄道路線（連続地標）の接続点または名称境界であるかをチェックする。いずれでも無い場合はステップ５１０に戻り、接続点または名称境界の場合はステップ５０６に戻る。
なお、鉄道路線（連続地標）の接続点または名称境界の場合で決定キーＫ２が１度しか押されない場合は、具体的には前述のステップ４１５で説明したのと同様の流れとなる。
【００５０】
このように、「その他の連続地標の名称検索」サブモードを選択すると、地図表示回始点から選択されたその他の連続地標に沿って、ジョイスティックＫ１の倒した方向に近い方向にカーソル移動を行う。ジョイスティックＫ１を操作し続ける限り、最初に判定された連続地標沿いの方向にカーソルのフォローイング移動が続き、連続地標の曲がり方向とジョイスティックの倒された方向とは関係なくカーソルのフォローイング移動が続けられる。
しかし、一度ジョイスティックＫ１を中立に戻して、再度操作を開始すると、検索する方向をステップ５１０で判定しなおして、選択されたその他の連続地標沿って、ジョイスティックＫ１の操作された方向に近い方向に、カーソルはフォローイング移動する。
【００５１】
ステップ５１４で、連続地標の境界、つまり選択された名称の連続地標がそこで途切れ、別の名称の同一種類の連続地標になるかまたは終了することを検出した場合、そこでカーソルは一旦移動を停止し、連続地標の名称境界に接続する同一種の連続地標の名称を全てウインドにその方向とともに表示する。つまりこの状態で、その他の連続地標表示開始直後の状態に戻る。
操作者が決定キーＫ２を１度押した後、接続している新しい名称の連続地標の方向に近い方向にジョイスティックＫ１を倒すと、新しい名称の連続地標を選んだと判定し、新しい名称の連続地標沿いにカーソルを移動させ、また地図をスクロールさせる。
これに対し、元の名称の連続地標の方向に近い方向に単にジョイスティックＫ１を操作したときは、元の連続地標を選択したと判定し、元の連続地標に沿ってカーソルを移動させ始める。
【００５２】
最後に、ステップ３０２で、操作者が連続地標を地図上で選択することを選んだと確認され場合の制御の流れを説明する。
ステップ３０２の後ステップ６０１に進み、３０１で設定された地域領域の地図を表示する。このときカーソル移動および地図スクロールは直線移動モードに設定する。
ステップ６０２では、操作者のジョイスティックＫ１の操作に対応して、直線移動モードでカーソル移動、地図スクロールする。
ステップ６０３では、操作者が目的地検索するための目標とする道路またはその他の連続地標にカーソルを合わせると、その地点の詳細地名、道路名称またはその他の連続地標名称をウインドに表示する。
【００５３】
ステップ６０４では、操作者がフォローイング移動する道路またはその他の連続地標にカーソルを合わせた状態で決定キーＫ２を押す。ＣＰＵ４は選択された道路またはその他の連続地標上の現在のカーソル位置を画面中心に地図表示をさせる。このとき、カーソルの示している連続地標をフォローイング移動する目標の連続地標に設定し、ウインドに「ｘｘｘｘ（連続地表名称）に沿ってフォローイング移動」と表示し、フォローイング移動モードに切り替わる。
ステップ６０５では、道路が選択されたかどうかをチェックする。道路が選択された場合はステップ４０７に進み、そうで無い場合はその他の連続地標が選ばれたとしてステップ５１０に進む。
以後は前述の「道路名称検索」、「その他の連続地標名称検索」サブモードの制御の流れと同じである。
【００５４】
本実施の形態のハードディスク部１は本発明の記憶手段を、ジョイスティックＫ１は移動方向入力スイッチを構成する。
また、流れ図におけるステップ２０１〜２０５、ステップ３０１〜３０５、ステップ４０１、４０２、ステップ４２１〜４２３、ステップ５０２〜５０４は本発明の読み出し手段を、ステップ２０５、４０２、４２２、４２３、５０３、５０４、ステップ６０４はカーソル位置設定手段を、ステップ２０６と、ステップ４０７、４０８、４１０〜４１４、４１８と、ステップ５１０、５１１、５１３〜５１７、５２１、およびステップ６０２はカーソル移動手段を、ステップ２０１〜２０４は特定地点指定手段を、ステップ３０１〜３０５、ステップ４０１、４２１、５０１、５０２、ステップ６０１〜６０４は連続指標指定手段を構成する。
【００５５】
以上のように本実施の形態によれば、目的地がほぼ正確に分かっているときは「特定地点指定モード」の中の「施設名称検索」、「電話番号検索」、「詳細番地入力検索」サブモードを選択して、直線移動モードで地図上の目的地の検索が行える。
詳細な地名、番地が分からなくても、目的地近くの目標になる道路名、鉄道、河川、運河、海岸、湖岸などの名前が分かっている場合は、「連続地標指定モード」の中の「交差点名称検索」、「道路名称検索」、「その他の連続地標名称検索」サブモードによるフォローイング移動モードで、道路沿いまたはその他の連続地標沿いの検索ができる。
従って、どのような場合でも効率的に目的地が地図上で捜しやすく、目的地の登録設定が簡単にできる。
また、「特定地点指定モード」と「連続地標指定モード」に上述のようにそれぞれサブモードを設けているので、多様な検索が可能で使いやすい。さらに、特定地点または連続地標の名称入力はリスト表示からの選択の形なので、キーボードを持たない簡単な入力部のナビゲーション・システムの場合便利である。
【００５６】
特に、海外の住所表示に置いては所在地の面している道路名を使うことが多いので、「道路名称検索」は極めて便利である。
また、国道などの総延長が長い道路沿線の地点を選択する場合などは、「交差点検索」サブモードを使用して、例えば図１５に示すように「国道２４６号線と国道１６号線の交差点」を選択することによってより効率的に目的地の検索が可能である。
さらに、「その他の連続地標名称検索」の鉄道の場合、着目している路線沿いに目的地を地図上で捜すとき、カーソルは路線上を移動するので、分岐線に乗換えが必要な場合、乗り継ぎ駅が見つけやすい。
【００５７】
また、カーソルをフォローイング移動するとき、現カーソル位置から道路またはその他の連続地標が延びている方向に近い方向にジョイスティックＫ１を倒すと、ＣＰＵ４が連続地標に沿った倒された方向に近い方向を判定して、カーソルを移動する。
従って、連続地標沿い用の追加の方向指示入力キーを必要としない簡単な装置の構成となる。
さらに、カーソルがスクロール領域に入るまでは、カーソルだけを移動し、スクロール領域に入ると地図スクロールを行い、その後またカーソルだけの移動とするので、地図上で目的地を検索するとき画面上の文字が読みやすく、連続地標に沿っての目的地検索がし易い。
【００５８】
以上の実施の形態では、カーナビゲーション・システムを例として説明したが、本発明の地図表示装置はそれに限定されるものではなく、パーソナル・コンピュータを用いたものでもよい。
その場合、ジョイスティックＫ１の代わりにマウスを用い、例えば表示画面の上下左右と四隅に表示されたカーソル移動方向、地図スクロール方向のコマンドアイコンにポインターを当ててクリックし、また画面に表示された選択メニュー項目にポインターを当てて選択クリックする。
【図面の簡単な説明】
【００５９】
【図１】本発明の実施の形態の構成を示す図である。
【図２】目的地検索モードの構成を示す図である。
【図３】目的地検索の流れ図である。
【図４】目的地検索の流れ図である。
【図５】目的地検索の流れ図である。
【図６】目的地検索の流れ図である。
【図７】目的地検索の流れ図である。
【図８】目的地検索の流れ図である。
【図９】目的地検索の流れ図である。
【図１０】目的地検索の流れ図である。
【図１１】目的地検索の流れ図である。
【図１２】目的地検索の流れ図である。
【図１３】目的地検索の流れ図である。
【図１４】道路名称検索、鉄道沿線検索の作用説明図である。
【図１５】国道などの長い道路の検索の場合の効果を説明する図である。
【符号の説明】
【００６０】
１        ハードディスク部
２        入力部
４        ＣＰＵ
５        ＧＰＳ部
６        ＲＡＭ
７        ＲＯＭ
８        グラフィック・コントローラ
９        ビデオＲＡＭ
１０      ディスプレイ
【図１】
2005099279.tif 000003
【図２】
2005099279.tif 000004
【図３】
2005099279.tif 000005
【図４】
2005099279.tif 000006
【図５】
2005099279.tif 000007
【図６】
2005099279.tif 000008
【図７】
2005099279.tif 000009
【図８】
2005099279.tif 000010
【図９】
2005099279.tif 000011
【図１０】
2005099279.tif 000012
【図１１】
2005099279.tif 000013
【図１２】
2005099279.tif 000014
【図１３】
2005099279.tif 000015
【図１４】
2005099279.tif 000016
【図１５】
2005099279.tif 000017